(57)【要約】【課題】特定エリアに存在するユーザをプレゼンス情報として通信端末に通知し、ユーザのプライバシーを守ることが可能なプレゼンス情報通知システムを提供する。【解決手段】プレゼンス情報通知システムにおいて、エリアゲートウェイは、特定のエリア毎に設置され、通信端末に対して所在確認要求を送信する手段と、通信端末から確認要求に対する応答を受信する手段と、応答を受信すると、通信端末が特定のエリアに存在しているとする位置情報をプレゼンスサーバに送信する手段と、プレゼンスサーバは、位置情報を受信すると、特定のエリアと通信端末とを対応付けてデータベースに登録する手段と、通信端末から特定エリアのプレゼンス情報要求を受信する手段と、プレゼンス情報要求を受信すると、データベースから特定のエリアに対応付けられた通信端末のプレゼンス情報を、プレゼンス情報要求を送信した通信端末に送信する手段とを有することを特徴とする。【選択図】図１
2009253695.tif 000002
【特許請求の範囲】
【請求項１】
複数の通信端末が接続される第１のネットワーク及び第２のネットワークに接続されるエリアゲートウェイと、前記第２のネットワークに接続されるプレゼンスサーバとを備えるプレゼンス情報通知システムにおいて、
前記エリアゲートウェイは、特定のエリア毎に設置され、前記第１のネットワークを介して前記通信端末に対して定期的に所在確認要求を送信する手段と、
前記通信端末から、前記第１のネットワークを介して前記所在確認要求に対する応答を受信する手段と、
前記応答を受信すると、前記通信端末が前記特定のエリアに存在しているとする位置情報を前記第２のネットワークを介して前記プレゼンスサーバに送信する手段と、
前記プレゼンスサーバは、前記位置情報を受信すると、前記特定のエリアと前記通信端末とを対応付けてデータベースに登録する手段と、
前記第２のネットワークを介して前記通信端末から前記特定エリアのプレゼンス情報要求を受信する手段と、
前記プレゼンス情報要求を受信すると、前記データベースから前記特定のエリアに対応付けられた前記通信端末のプレゼンス情報を、前記第２のネットワークを介して前記プレゼンス情報要求を送信した前記通信端末に送信する手段とを有すること
を特徴とするプレゼンス情報通知システム。
【請求項２】
前記通信端末は前記データベースに複数のグループに分けて登録され、
前記プレゼンスサーバは、前記プレゼンス情報要求を送信した前記通信端末が属する前記グループに基づいて前記プレゼンス情報を送信すること
を特徴とする請求項１に記載のプレゼンス情報通知システム。
【請求項３】
前記通信端末は前記データベースに、前記特定のエリア毎に設置された前記エリアゲートウェイ毎に、前記プレゼンス情報通知の許可及び拒否の状態が登録され、前記前記プレゼンス情報通知が許可の状態の場合のみ、前記プレゼンスサーバは、前記通信端末が前記特定エリアに存在しているとして前記プレゼンス情報を送信すること
を特徴とする請求項１又は２に記載のプレゼンス情報通知システム。
【発明の詳細な説明】
【技術分野】
【０００１】
この発明は、個人が所有する携帯電話、携帯情報端末（ＰＤＡ）、スマートフォンなどのモバイル端末が、ある特定エリアに入ったことを検知し、モバイル端末を所有する個人が特定エリア内に居ることをプレゼンス情報として通知するプレゼンス情報通知システムに関するものである。
【背景技術】
【０００２】
従来、ＰＤＡ等の通信端末の位置情報を取得し、その位置情報をプレゼンス情報として通知する機能があった。例えば、特許文献１には、プレゼンス情報での位置情報通知は、ＧＰＳ（Global Positioning System）情報などの位置情報を用いて、その通信端末が、現在どこにあるのかを特定し、その位置情報をプレゼンス情報に変換して通知することが開示されている。
【０００３】
このようなプレゼンス情報通知技術では、プレゼンス情報が個人を主体に考えられているため、ある個人が、現在どこにいるのかを調べる場合には都合は良いが、ある特定のエリア内に、現在誰がいるのかを調べる場合には都合が悪い。例えば、行きつけのお店や、常連客が集まるお店などの店舗や施設、つまり、ある特定のエリアにおいて、現在誰が来ているのかをプレゼンス情報で知るためには、ある特定のエリアを主体としたプレゼンス情報が必要となる。
【０００４】
また、特許文献２には、通信端末の位置情報を取得し、プレゼンスサーバ等により、プレゼンス情報を提供することにより、特定のエリア内に存在するメンバーの通信状態可否を表示することが開示されている。つまり、ある特定のエリア内に通信端末を所有する個人が存在することをプレゼンス情報として通知するものであり、個人のプレゼンス情報を主体とするものではなく、ある特定のエリアを主体としてプレゼンス情報を通知するものである。
【０００５】
特許文献２に開示されるような技術を用いれば、ある特定のエリア内にモバイル端末のような通信端末を持った仲間のユーザが存在する場合に、その情報を検知し、他の通信端末に、その特定エリア内に存在するユーザをプレゼンス情報として表示することが可能である。これにより、あるユーザは、現在その特定のエリアに存在している仲間の情報を知ることができる。
【特許文献１】特開２００５−７８２８８号公報
【特許文献２】特開２００６−８１１８４号公報
【発明の開示】
【発明が解決しようとする課題】
【０００６】
しかしながら、従来のプレゼンス情報通知システムでは、この特許文献２に記載されるようなシステムを利用し、特定エリア内に存在する仲間の情報を知ることはできるが、一度登録してしまうと、通信端末の電波が届く範囲内であれば、ユーザが所有する通信端末の電源を切らない限り、常にどのエリアでも位置情報が検出されてしまう。つまり、現在のエリアを仲間に知られたくない場合でも、特定エリア内に存在することが仲間に知られてしまい、プライバシーが侵害される恐れがあった。
【０００７】
よって、本発明は、ある特定のエリア内に通信端末を持った仲間のユーザが存在する場合に、それを検知し、特定エリア内に存在するユーザをプレゼンス情報として通信端末に表示することを可能としつつ、ユーザのプライバシーを守ることが可能なプレゼンス情報通知システムを提供する。
【課題を解決するための手段】
【０００８】
かかる課題を解決するため、本発明によるプレゼンス情報通知システムは、複数の通信端末が接続される第１のネットワーク及び第２のネットワークに接続されるエリアゲートウェイと、第２のネットワークに接続されるプレゼンスサーバとを備えるプレゼンス情報通知システムにおいて、エリアゲートウェイは、特定のエリア毎に設置され、第１のネットワークを介して通信端末に対して定期的に所在確認要求を送信する手段と、通信端末から、第１のネットワークを介して確認要求に対する応答を受信する手段と、応答を受信すると、通信端末が特定のエリアに存在しているとする位置情報を第２のネットワークを介して前記プレゼンスサーバに送信する手段と、プレゼンスサーバは、位置情報を受信すると、特定のエリアと通信端末とを対応付けてデータベースに登録する手段と、第２のネットワークを介して通信端末から特定エリアのプレゼンス情報要求を受信する手段と、プレゼンス情報要求を受信すると、データベースから特定のエリアに対応付けられた通信端末のプレゼンス情報を、第２のネットワークを介してプレゼンス情報要求を送信した通信端末に送信する手段とを有することを特徴とする。
【発明の効果】
【０００９】
発明の効果として、本発明のプレゼンス情報通知システムによれば、個人の情報発信としての用途が中心であったプレゼンス情報を、集客を目的とする店舗や施設などが、集客状況をプレゼンス情報として、発信することで、現在、店に来ているお客の仲間をさらに集客する手段として活用することができ、なおかつ通信端末を所有するユーザのプライバシーを守ることが可能となる。
【発明を実施するための最良の形態】
【００１０】
以下、本発明の実施例を図１〜図７を参照しつつ詳細に説明する。
【実施例】
【００１１】
図１〜図７を用いて本発明によるプレゼンス情報通知システムが説明される。図１は本発明によるプレゼンス情報通知システムを示す構成図である。
【００１２】
該プレゼンス情報通知システムは、携帯電話、携帯情報端末（ＰＤＡ）、スマートフォンなどの通信端末１、各店舗や施設など特定のエリアに設置されるエリアゲートウェイ２、キャリアセンタ等に設置され、通信端末のプレゼンス情報を管理し、プレゼンス情報を通知するプレゼンスサーバ３、携帯電話、携帯情報端末（ＰＤＡ）、スマートフォンあるいはＰＣなどの通信端末４から構成される。
通信端末１とエリアゲートウェイ２は無線ＬＡＮ（Local Area Network）等の閉域ネットワーク（ＮＷ）５を介して接続される。エリアゲートウェイ２とプレゼンスサーバ３はインターネット等の広域ネットワーク（ＮＷ）６を介して接続される。
また、通信端末４とプレゼンスサーバ３は広域ＮＷ６を介して接続される。
【００１３】
まず、通信端末１の機能構成が説明される。通信端末１は制御部１１、閉域ＮＷ通信部１２、固定ＩＤ記憶部１３から構成される。
制御部１１は中央処理装置であり、閉域ＮＷ通信部１２、固定ＩＤ記憶部１３等の動作を制御する。閉域ＮＷ通信部１２は無線ＬＡＮ等の無線通信を行う通信インタフェースであり、閉域ＮＷ５を介して、エリアゲートウェイ２と通信を行う。固定ＩＤ記憶部１３は通信端末１のＳＩＭ番号、携帯電話番号、携帯固定ＩＤなどの通信端末固有の固定ＩＤを記憶している。
【００１４】
通信端末１は、閉域ＮＷ通信部１２にて、エリアゲートウェイ２から所定の信号を受信すると、固定ＩＤ記憶部１３に記憶されている通信端末固有の固定ＩＤを付加して、エリアゲートウェイ２に応答信号を送信する。
また、通信端末１は、図示はされていないが、広域ＮＷ６を介して、プレゼンスサーバ６と通信を行うインタフェースを有している。これにより、通信端末１はプレゼンスサーバ３への所定情報の登録を行うことができる。
【００１５】
次にエリアゲートウェイ２の機能構成が説明される。エリアゲートウェイ２は制御部２１、閉域ＮＷ通信部２２、広域ＮＷ通信部２３から構成される。
制御部２１は中央処理装置であり、閉域ＮＷ通信部２２、広域ＮＷ通信部２３等の動作を制御する。閉域ＮＷ通信部２２は無線ＬＡＮ等の無線通信を行う通信インタフェースであり、閉域ＮＷ５を介して、通信端末１と通信を行う。広域ＮＷ通信部２３は有線通信を行う通信インタフェースであり、広域ＮＷ６を介して、プレゼンスサーバ３と通信を行う。
【００１６】
また、エリアゲートウェイ２は、図示されていないが、エリアゲートウェイ２毎にエリアゲートウェイＩＤが与えられており、エリアゲートウェイＩＤを記憶する記憶部を有する。エリアゲートウェイ２は、閉域ＮＷ通信部２２にて、定期的に、通信端末１に所在確認要求信号を送信する。通信端末１から応答信号を受信すると、この通信端末１が該エリアゲートウェイ２の設置されたエリアにいるとして、広域ＮＷ通信部２３にて、位置情報をエリアゲートウェイＩＤとともにプレゼンスサーバ３に送信する。
【００１７】
次にプレゼンスサーバ３の機能構成が説明される。プレゼンスサーバ３は、制御部３１、広域ＮＷ通信部３２、プレゼンス記録処理部３３、プレゼンスデータベース（ＤＢ）３４から構成される。
制御部３１は中央処理装置であり、広域ＮＷ通信部３２、プレゼンス記録処理部３３、プレゼンスＤＢ３４等の動作を制御する。広域ＮＷ通信部３２は有線通信を行う通信インタフェースであり、広域ＮＷ６を介して、エリアゲートウェイ２や通信端末１及び通信端末４と通信を行う。プレゼンス記録処理部３３は、通信端末１及び通信端末４からの所定情報の登録処理やエリアゲートウェイから受信した位置情報をプレゼンス情報としてプレゼンスＤＢ３４に登録する。プレゼンスＤＢ３４は通信端末１及び通信端末４のユーザの名前や固定ＩＤ、グループ種別を蓄積したり、エリアゲートウェイＩＤやエリアゲートウェイ２が設置された施設名、エリアゲートウェイＩＤをキーとした施設名毎に位置情報によって通信端末１が存在するか否かというプレゼンス情報を蓄積する。また、プレゼンスＤＢ３４は、通信端末１が、特定の施設に対して、プレゼンス情報の通知を拒否する情報等を蓄積する。ここで、プレゼンスＤＢ３４が上述のように全ての管理情報をテーブルとして蓄積するように記載されているが、それぞれ別々のデータベースを用意し、蓄積させてもよい。
【００１８】
そして、通信端末４の機能構成が説明される。通信端末４は、制御部４１、広域ＮＷ通信部４２、固定ＩＤ記憶部４３、表示部４４から構成される。制御部４１は中央処理装置であり、広域ＮＷ通信部４２、固定ＩＤ記憶部４３、表示部４４等の動作を制御する。広域通信部４２は、無線通信又は有線通信を行う通信インタフェースであり、広域ＮＷ６を介して、プレゼンスサーバ３４と通信を行う。例えば、通信端末４は広域通信部４２にて、プレゼンスサーバ３へ所定情報の登録を行ったり、プレゼンス情報要求を行い、またプレゼンスサーバ３からプレゼンス情報を受信する。固定ＩＤ記憶部４３は、通信端末４のＳＩＭ番号、携帯電話番号、携帯固定ＩＤなどの通信端末固有の固定ＩＤを記憶している。表示部４４はプレゼンスサーバ３から受信したプレゼンス情報をブラウザ機能や専用のアプリケーションにより表示する。
【００１９】
次に、図２〜図７を用いて、本発明によるプレゼンス情報通知システムの動作が説明される。図２は本発明によるプレゼンス情報通知システムの具体例を示す構成図である。
【００２０】
図１の通信端末１は図２の通信端末１０１〜１０４に対応する。図１のエリアゲートウェイ２は図２のエリアゲートウェイ２０１、２０２に対応する。図１のプレゼンスサーバ３、通信端末４は、それぞれ、図２のプレゼンスサーバ３０１、通信端末４０１に対応する。図１の閉域ＮＷ５は図２の閉域ＮＷ５０１、５０２に対応する。図１の広域ＮＷ６は図２の広域ＮＷ６０１に対応する。
【００２１】
まず、通信端末１０１〜１０４及び通信端末４０１はプレゼンスサーバ３に対してグループ登録を行う。このグループ登録を行い、同じグループ種別に登録された通信端末間でのみプレゼンス情報の参照が可能となる。グループ登録は、例えば、通信端末１０１〜１０４及び通信端末４０１はユーザの所定の操作により、広域ＮＷ６０１を介して、プレゼンスサーバ３０１に接続し、各通信端末の固定ＩＤを付加してグループ登録要求を行う。そして、各通信端末の固定ＩＤをキーとしてユーザの名前を登録し、ユーザ間のグループ設定を行って登録する。登録された固定ＩＤ，ユーザの名前、グループ種別等の情報はプレゼンスＤＢ３４に蓄積される。
また、プレゼンスサーバ３０１が設置されているキャリアセンタに専用の端末を設け、この専用の端末から通信端末１０１〜１０４及び通信端末４０１のグループ登録を行ってもよい。
【００２２】
図３はグループ登録テーブルを示す図である。上述のグループ登録により、通信端末１０１〜１０４及び通信端末４０１のユーザの名前、固定ＩＤ、グループ種別の情報がプレゼンスＤＢ３４に蓄積される。図３では、通信端末１０１〜１０４及び通信端末４０１が同じグループ種別Ａ２として登録されている。
【００２３】
また、通信端末１０１〜１０４及び通信端末４０１は、ユーザが、プレゼンス情報が知られたくない施設がある場合、他の通信端末からプレゼンス情報要求があっても、プレゼンスサーバ３０１に対して、プレゼンス情報通知を拒否する登録を行うことができる。例えば、通信端末１０１〜１０４及び通信端末４０１はユーザの所定の操作により、広域ＮＷ６０１を介して、プレゼンスサーバ３０１に接続し、各通信端末の固定ＩＤを付加してプレゼンス情報通知の拒否登録要求を行う。そして、各通信端末の固定ＩＤをキーとして特定の施設に対して、その施設に設置されたエリアゲートウェイにより位置情報が検出されても、プレゼンス情報通知を拒否することを登録する。
【００２４】
図４はプレゼンス通知拒否テーブルを示す図である。上述のプレゼンス情報通知拒否登録により、通信端末１０３がプレゼンス情報通知を拒否する施設名、その施設に設置されたエリアゲートウェイのエリアゲートウェイＩＤ、通信端末１０３のユーザの名前、固定ＩＤ、プレゼンス通知拒否の情報がプレゼンスＤＢ３４に登録される。ここでは、通信端末１０３が施設７０２に対して、プレゼンス通知拒否登録している。
また、プレゼンス通知拒否の情報の代わりに、プレゼンス通知許可をするという情報のほうを登録させてもよいし、プレゼンス通知拒否の情報だけでなく、プレゼンス通知許可の情報も両方登録するようにしてもよい。
【００２５】
図２では、施設７０１にエリアゲートウェイ２０１が設置されており、施設７０２にエリアゲートウェイ２０２が設置されている。図４に示されるように、エリアゲートウェイ２０１のエリアゲートウェイＩＤはＡ３であり、エリアゲートウェイ２０２のエリアゲートウェイＩＤはＢ３である。
【００２６】
施設７０１には通信端末１０１と通信端末１０２が存在している。エリアゲートウェイ２０１は閉域ＮＷ５０１を介して、所在確認要求信号を通信端末１０１及び１０２に送信する。所在確認要求信号を受信した通信端末１０１及び１０２は、それぞれの固定ＩＤを付与して、応答信号をエリアゲートウェイ２０１に送信する。応答信号を受信したエリアゲートウェイ２０１は、広域ＮＷ６０１を介して、プレゼンスサーバ３０１に、エリアゲートウェイ２０１が設置された施設７０１に通信端末１０１及び１０２が存在するという位置情報をエリアゲーウェイＩＤ「Ａ３」を付加して送信する。
【００２７】
施設７０２には通信端末１０３と通信端末１０４が存在している。エリアゲートウェイ２０２は閉域ＮＷ５０２を介して、所在確認要求信号を通信端末１０３及び１０４に送信する。所在確認要求信号を受信した通信端末１０３及び１０４は、固定ＩＤを付与して、応答信号をエリアゲートウェイ２０２に送信する。応答信号を受信したエリアゲートウェイ２０２は、広域ＮＷ６０１を介して、プレゼンスサーバ３０１に、エリアゲートウェイ２０２が設置された施設７０２に通信端末１０３及び１０４が存在するという位置情報をエリアゲートウェイＩＤ「Ｂ３」を付加して送信する。
【００２８】
図５はプレゼンス情報テーブルを示す図である。エリアゲートウェイ２０１及び２０２から位置情報を受信したプレゼンスサーバ３０１はプレゼンスＤＢ３４にグループ登録テーブルやプレゼンス通知拒否テーブルを利用して、図５のようにプレゼンス情報を登録する。プレゼンス情報テーブルには、ユーザの名前、固定ＩＤ、グループ種別、施設名、エリアゲートウェイＩＤ、プレゼンス通知拒否の情報が登録されている。
【００２９】
ここで、通信端末４０１のユーザが施設７０１におけるプレゼンス情報を知りたい場合、ユーザの所定操作により、通信端末４０１は、広域ＮＷ６０１を介して、プレゼンスサーバ３０１に対して、施設７０１におけるプレゼンス情報要求信号を送信する。プレゼンスサーバ３０１は、通信端末４０１に対して、施設７０１において、同じグループ種別に属する通信端末１０１〜１０３が存在しているか否かのプレゼンス情報を送信する。図６は表示部の第１の画面を示す図である。プレゼンス情報を受信した通信端末４０１の表示部４４には図６のように施設７０１における同じグループ種別に属する通信端末１０１〜１０３のプレゼンス情報が表示される。ここでは、ユーザＡ及びＢが施設７０１に居り、ユーザＣが施設７０１にいないものとして表示される。
【００３０】
また、通信端末４０１のユーザが施設７０２におけるプレゼンス情報を知りたい場合、ユーザの所定操作により、通信端末４０１は、広域ＮＷ６０１を介して、プレゼンスサーバ３０１に対して、施設７０２におけるプレゼンス情報要求信号を送信する。プレゼンスサーバ３０１は、通信端末４０１に対して、施設７０２において、同じグループ種別に属する通信端末１０１〜１０３が存在しているか否かのプレゼンス情報を送信する。しかし、通信端末１０３は、施設７０２に存在しているが、プレゼンス通知拒否の登録を行っているため、施設７０２に存在しないものとしてプレゼンスサーバ３０１はプレゼンス情報を送信する。図７は表示部の第２の画面を示す図である。プレゼンス情報を受信した通信端末４０１の表示部４４には図７のように施設７０２における同じグループ種別に属する通信端末１０１〜１０３のプレゼンス情報が表示される。ここでは、ユーザＡ、Ｂ及びＣが施設７０２にいないものとして表示される。
【００３１】
上述の実施例では、エリアゲートウェイ２が通信端末１に対して、直接、所在確認要求信号を送信するとして説明したが、Ｚｉｇｂｅｅ等の近距離無線方式を用いることで、その通信機能を、通信端末１及びエリアゲートウェイ２に持たせ、Ｚｉｇｂｅｅ通信機能を有する通信機器をホップさせて、所在確認要求信号を送信するようにしてもよい。
【図面の簡単な説明】
【００３２】
【図１】本発明によるプレゼンス情報通知システムを示す構成図
【図２】本発明によるプレゼンス情報通知システムの具体例を示す構成図
【図３】グループ登録テーブルを示す図
【図４】プレゼンス通知拒否テーブルを示す図
【図５】プレゼンス情報テーブルを示す図
【図６】表示部の第１の画面を示す図
【図７】表示部の第２の画面を示す図
【符号の説明】
【００３３】
１、４、１０１、１０２、１０３、１０４、４０１・・・通信端末
２、２０１、２０２・・・エリアゲートウェイ
２１・・・制御部、２２・・・閉域ＮＷ通信部、２３・・・広域ＮＷ通信部
３、３０１・・・プレゼンスサーバ
３１・・・制御部、３２・・・広域ＮＷ通信部、３３・・・プレゼンス記録処理部、３４・・・プレゼンスＤＢ
５、５０１、５０２・・・閉域ＮＷ
６、６０１・・・広域ＮＷ
【図１】
2009253695.tif 000003
【図２】
2009253695.tif 000004
【図３】
2009253695.tif 000005
【図４】
2009253695.tif 000006
【図５】
2009253695.tif 000007
【図６】
2009253695.tif 000008
【図７】
2009253695.tif 000009